(57)【特許請求の範囲】
【請求項１】
筐体に設けられたシャフト受けによって回動自在に支持された開閉カバーを、前記シャフト近傍に配設された付勢手段によって、閉じる方向に付勢し、前記開閉カバーが閉じた状態では、前記開閉カバーの蓋部分で前記筐体の特定の部分をカバーするように構成されてなる開閉カバーの取り付け構造において、
前記開閉カバーは、前記シャフトを挟んで前記蓋部分と反対側まで延設された延設部を備え、
前記付勢手段は、前記シャフトに巻き付けられた捩じりバネで構成され、該捩じりバネの一端は前記延設部の裏面に当接するように配設され、該捩じりバネの他端は前記蓋部分の裏側の筐体に固定され、該捩じりバネの弾性復元力によって前記開閉カバーを閉じる方向に付勢するように構成されることで、前記シャフト及び前記付勢手段は、前記開閉カバーの裏側に配設されて、表側に露出しないように構成されており、かつ
前記開閉カバーを開いた状態において、前記捩じりバネの他端と干渉する前記延設部の一部には、切欠きを設けることによって、干渉しないように構成されていることを特徴とする開閉カバーの取り付け構造。
【請求項２】
前記シャフトは、前記開閉カバーの裏面に形成された２つの軸受けに挿通され、
前記捩じりバネは、前記２つの軸受けの間で前記シャフトに巻き付けられて、前記シャフトに設けられた溝に嵌め込まれた止め輪と、前記一方の軸受けとの間に圧縮された状態で装着され、圧縮された前記捩じりバネの復元力によって、前記止め輪と前記一方の軸受けとの間隔を広げる方向に付勢するように構成されていることを特徴とする請求項１記載の開閉カバーの取り付け構造。
【発明の詳細な説明】
【技術分野】
【０００１】
本発明は、無線機等の電子機器のパネルに配設された特定の操作スイッチをカバーする開閉カバーの構造に関するものである。
【背景技術】
【０００２】
前記操作スイッチの誤操作を防ぐために、通常、前記開閉カバーは、前記操作スイッチを覆っている状態（閉じている状態）を維持することが要求される。
そのため、従来の開閉カバーの構造は、捩じりバネの復元力を利用してカバーを表面側から押しつけることで、カバーがスイッチ類を覆っている状態を維持するように構成されている。
【０００３】
従来構造の一例を図９、１０に示して説明する。
図９に示した従来例では、開閉カバー１０１は２本の軸受け１０２、１０２を備え、その軸受け１０２、１０２にシャフト１０３が挿通され、前記シャフト１０３は、筐体１０４に嵌入された断面コ字状のアングル１０７で支持されている。前記シャフト１０３には、捩じりバネ１０６が巻き付けられている。前記捩じりバネ１０６の一端は前記開閉カバー１０１の表面の一部を押さえて閉じる方向に付勢するように配設され、他端は前記アングル１０７に差しこまれて固定されている。
【０００４】
このような構造を備えることによって、操作スイッチ１０８は前記開閉カバー１０１によって覆われ、不用意に操作されることが防止されている。
前記操作スイッチ１０８を操作する必要が生じた際には、前記開閉カバー１０１を押し開けて、前記操作スイッチ１０８を露出させて操作する。
操作終了後は、前記開閉カバー１０１から手を離せば、前記捩じりバネ１０６による付勢力によって、前記開閉カバー１０１は確実に閉じられる。
このようにして、前記捩じりバネ１０６を備えた開閉カバー１０１によって、前記操作スイッチ１０８は保護されている。
【０００５】
しかし、上述したような従来の構造では、捩じりバネ１０６の一端が前記開閉カバー１０１の表面に露出するので外観上の問題がある。
捩じりバネ１０６が露出しないように板状の覆い等の部材を設けると、前記開閉カバー１０１を開くときに前記部材が邪魔になり、１８０度近くまで大きく開くことができなくなり、前記開閉カバー１０１を途中までしか開けなくなる。この場合、途中まで開いた開閉カバー１０１に外力が掛かると、前記部材や前記シャフト１０３の周囲が破損することがあった。
【０００６】
特許文献１には、筐体の内側へ開くように設けられた扉開閉装置が開示されているが、これは、内側から筐体の開口部の縁側へ押しつけるように捩じりバネが設けられたものであり、筐体の外側へ開くように設けられた扉ではない。
【先行技術文献】
【特許文献】
【０００７】
【特許文献１】特開平９−１９９８７０号公報
【発明の概要】
【発明が解決しようとする課題】
【０００８】
本発明は、バネが開閉カバーの表面に露出しない構造とすることにより、好ましい外観が得られることを目的としてなされたものである。
【課題を解決するための手段】
【０００９】
本発明に係る開閉カバーの取り付け構造は、
筐体に設けられたシャフト受けによって回動自在に支持された開閉カバーを、前記シャフト近傍に配設された付勢手段によって閉じる方向に付勢し、前記開閉カバーが閉じた状態では、前記開閉カバーの蓋部分で前記筐体の特定の部分をカバーするように構成されてなる開閉カバーの取り付け構造において、
前記開閉カバーは、前記シャフトを挟んで前記蓋部分と反対側まで延設された延設部を備え、
前記付勢手段は、前記シャフトに巻き付けられた捩じりバネで構成され、該捩じりバネの一端は前記延設部の裏面に当接するように配設され、該捩じりバネの他端は前記蓋部分の裏側の筐体に固定され、該捩じりバネの弾性復元力によって前記開閉カバーを閉じる方向に付勢するように構成されることで、前記シャフト及び前記付勢手段は、前記開閉カバーの裏側に配設されて、表側に露出しないように構成されており、かつ
前記開閉カバーを開いた状態において、前記捩じりバネの他端と干渉する前記延設部の一部には、切欠きを設けることによって、干渉しないように構成されていることを特徴としている。
さらにまた、本発明に係る開閉カバーの取り付け構造では、
前記シャフトは、前記開閉カバーの裏面に形成された２つの軸受けに挿通され、
前記捩じりバネは、前記２つの軸受けの間で前記シャフトに巻き付けられて、前記シャフトに設けられた溝に嵌め込まれた止め輪と、前記一方の軸受けとの間に圧縮された状態で装着され、圧縮された前記捩じりバネの復元力によって、前記止め輪と前記一方の軸受けとの間隔を広げる方向に付勢するように構成されていることを特徴としている。
【発明の効果】
【００１０】
本発明に係る開閉カバーの取り付け構造によれば、
筐体に設けられたシャフト受けによって回動自在に支持された開閉カバーを、
前記シャフト近傍に配設された付勢手段によって、閉じる方向に付勢し、
前記開閉カバーが閉じた状態では、前記開閉カバーの蓋部分で前記筐体の特定の部分をカバーするように構成されてなる開閉カバーの取り付け構造において、
前記開閉カバーは、前記シャフトを挟んで前記蓋部分と反対側まで延設された延設部を備え、
前記付勢手段は、前記延設部の裏面に当接して前記開閉カバーを閉じる方向に付勢するように構成されているとともに、
前記シャフト及び前記付勢手段は、前記開閉カバーの裏側に配設されて、表側に露出しないように構成されているので、好ましい外観が得られる。
【図面の簡単な説明】
【００１１】
【図１】本発明に係る開閉カバーの取り付け構造の実施形態の側面断面図である。
【図２】本発明に係る開閉カバーの取り付け構造の実施形態の側面断面図である。
【図３】本発明に係る開閉カバーの取り付け構造の実施例１の正面図である。
【図４】実施例１の要部の正面図である。
【図５】実施例１の要部の裏面図である。
【図６】実施例１の側面断面図である。（閉じた状態。）
【図７】図３のＡ−Ａ線断面図である。（閉じた状態。）
【図８】図３のＢ−Ｂ線断面図である。（閉じた状態。）
【図９】従来例の正面図である。
【図１０】従来例を示した図９のＸ−Ｘ線断面図である。
【発明を実施するための形態】
【００１２】
以下に、本発明に係る開閉カバーの取り付け構造を、図面を参照して説明する。
図１は、本発明に係る開閉カバーの取り付け構造の側面断面図を示したものであり、
開閉カバー１の裏面に挿通されたシャフト２は、筐体３に設けられたシャフト受け４で支持されており、前記開閉カバー１は前記シャフト２を軸として回動自在に支持されている。
前記開閉カバー１は、前記シャフト２の近傍に配設されたバネ等の弾性部材を用いた付勢手段５によって、閉じる方向に付勢されている。
前記開閉カバー１が閉じた状態では、前記開閉カバー１の蓋部分１ａで前記筐体４の特定の部分に配設された操作スイッチ等の領域Ｒをカバーするように構成されている。
前記開閉カバー１は、前記シャフト２を挟んで前記蓋部分１ａと反対側に延設された延設部１ｂを備えている。
【００１３】
前記付勢手段５は、前記延設部１ｂの裏面に当接して前記開閉カバー１を閉じる方向（図面上では時計回り方向）に付勢するように構成されている。
前記付勢手段５を、捩じりバネとした場合には、当該バネの一端５ａが、前記延設部１ｂの裏面に当接して前記開閉カバー１を閉じる方向に付勢し、前記バネの他端５ｂは延長されて、前記筐体３の一部に設けられた穴に、例えば差しこまれて固定されている。
このように前記付勢手段５を捩じりバネとした場合には、図示した閉じた状態で付勢力を得るために、予め弾性変形させて弾性復元力が付勢力として作用し得る状態でセットする必要がある。
【００１４】
以上の構成によって、前記シャフト２及び前記付勢手段５は、図１（Ａ）に示したように、前記開閉カバー１の裏側に配設されて表側には露出しない。特に、前記付勢手段５が前記延設部１ｂに当接する場所も、前記延設部１ｂの裏面であるので、前記付勢手段５の一端５ａも表側には露出しない構造となっている。
そして、以上のような構造で支持された開閉カバー１を開くときには、指の力等を加えることによって、前記付勢手段５による付勢力に抗して前記開閉カバー１を引き上げて開くと、図１（Ｂ）に示したように、前記開閉カバー１が開いて、前記筐体３の特定の部分に配設された操作スイッチ等を操作することが可能となる。
【００１５】
前記操作スイッチ等の操作が終了した後には、前記開閉カバー１に加えていた指の力等を取り除くことによって、前記開閉カバー１は、前記付勢力によって、図１（Ａ）に示したような閉じた状態に復帰し、その状態が保持され、不用意に開くことは無い。
【００１６】
図１に示した開閉カバーの取り付け構造では、前記開閉カバー１を１８０度近く開こうとする場合に、前記延設部１ｂの縁が、前記付勢手段５としてのバネの他端５ｂの延長部分に当たって１８０度近くまで開けない状況となる。そこで、図２（Ａ）に示したように、前記開閉カバー１を１８０度近く開こうとする場合に前記延設部１ｂの縁と前記バネの他端５ｂの延長部分とが干渉しようとする部分には、前記延設部１ｂの縁に、前記バネの幅より僅かに幅の広い切り欠き１ｃを設けて、互いに干渉しないようにするとよい。この切欠き１ｃの深さは、図２（Ｂ）に示したように、前記開閉カバー１を最大限に開くことのできる深さに設定する。
【実施例１】
【００１７】
次に、本発明に係る開閉カバーの取り付け構造の実施例１を、図３〜８を参照して説明する。
各図において、
３１は電子機器の筐体であり、その表面の一部には特別の操作スイッチＳＷが配設されている。
前記操作スイッチＳＷは、前記筐体３１に形成された凹部３１１の底に形成された取り付け孔に嵌め込まれている。
前記凹部３１１は前記操作スイッチＳＷよりひとまわり広い開口３１２を備え、その開口３１２には、平板状の開閉カバー１１が配設されている。
開閉カバー１１には、前記操作スイッチＳＷを覆う広さの蓋部分１１ａが、例えばほぼ長方形状に形成されており、その１辺側の近傍の裏面には、シャフト２１が表面に露出しないように配設されている。
【００１８】
シャフト２１の両端は、筐体３１の表面に凸設された一対のシャフト受け４１，４１に回動自在に支持されている。
以上の構造によって、開閉カバー１１はシャフト２１を軸にして開閉可能に支持され、開閉カバー１１を閉じた状態では、前記蓋部分１１ａで操作スイッチＳＷをカバーし、開閉カバー１１を開いた状態では操作スイッチＳＷを露出させて操作可能にしている。
開閉カバー１１には、前記シャフト２１を挟んで前記蓋部分１１ａと反対側に、僅かの幅の延設部１１ｂが延設されている。延設部１１ｂには後述する切欠き１１ｃが形成されている。
図示したように、外観上は、開閉カバー１１の表面とシャフト受け４１，４１しか露出していない。
【００１９】
図５に示したように、開閉カバー１１の裏面には、シャフト２１が挿通された一対の軸受け１１ｄ，１１ｅと中間の軸受け１１ｆが形成され、裏側にはシャフト２１が露出するように構成されている。
一方の軸受け１１ｅと中間の軸受け１１ｆの間には、付勢手段としての捩じりバネ５１が、シャフト２１に巻き付けられた状態で配設され、捩じりバネ５１の一端５１ａは、延設部１１ｂの裏面に当接している。
【００２０】
なお、捩じりバネ５１の内径はシャフト２の外径より僅かに大きくして、捩じりバネ５１がシャフト２に緩く巻き付けられた構成にし、開閉カバー１の開閉に伴って捩じりバネ５１が弾性変形するための余裕が設けられている。
【００２１】
中間の軸受け１１ｆと捩じりバネ５１との間には、Ｅ型の止め輪（以下、「Ｅリング」という。）５１ｃが挟まれており、このＥリング５１ｃはシャフト２１に設けられた溝に嵌まり込んでシャフトに沿って移動しないように配設されている。
捩じりバネ５１は圧縮コイルバネとしても作用するように、自由状態では一方の軸受け１１ｅと中間の軸受け１１ｆとの間隔より長く形成され、巻きピッチも圧縮されて変形する余裕を持たせてあり、圧縮した状態で、一方の軸受け１１ｅとＥリング５１ｃの間に装着されている。
【００２２】
なお、図５においては、中間の軸受け１１ｆに近い位置にＥリング５１ｃを配したが、一方の軸受け１１ｅに近い位置にＥリング５１ｃを配してもよい。また、中間の軸受け１１ｆと他方の軸受け１１ｄとの間に捩じりバネ５１を配し、Ｅリング５１ｃを配する位置は、捩じりバネ５１を圧縮する位置であれば、中間の軸受け１１ｆに近い位置でも他方の軸受け１１ｄに近い位置でも、どちらでもよい。
図５に示したように、開閉カバー１１の裏面には、一方の軸受け１１ｅと、中間の軸受け１１ｆと、他方の軸受け１１ｄと、３つの軸受けが配設されているが、特許請求の範囲に記載された「２つの軸受け」に対応する構成は、一方の軸受け１１ｅと中間の軸受け１１ｆとしてもよく、もしくは、他方の軸受け１１ｄと中間の軸受け１１ｆとしてもよい。
【００２３】
図６に示したように、捩じりバネ５１の一端５１ａは、延設部１１ｂの裏面に当接し、捩じりバネ５１の他端５１ｂは、開閉カバー１１でカバーされる領域に形成された穴に差しこまれて筐体側に固定されている。
捩じりバネ５１は、十分な付勢力が得られるように捩じった状態でシャフト２１に装着されている。
【００２４】
開閉カバー１１を開いた状態の側面断面図を図７、８に示した。図７は、図３のＡ−Ａ線断面図を示したものであり、捩じりバネ５１の一端５１ａが前記延設部１１ｂの裏面に接触している状態が示されている。図８は、図３のＢ−Ｂ線断面図を示したものであり、捩じりバネ５１の他端５１ｂが切欠き１１ｃに入り、その先端が筐体の穴に差しこまれている状態が示されている。
【００２５】
上記開閉カバー１１を取り付ける際には、開閉カバー１１に捩じりバネ５１を取り付けた後、捩じりバネ５１の他端を筐体の孔に差しこんで固定し、シャフト２１をスライドさせながらシャフト受け４１、４１にシャフト２１を挿入する。
捩じりバネ５１をＥリング５１ｃで圧縮することで復元力が発生し、この復元力によって、Ｅリング５１ｃと一方の軸受け１１ｅとの間隔を広げる方向に付勢力が発生し、この付勢力によって、シャフト２１が一方に偏ってシャフト受け４１から抜け落ちることが防止される。
【００２６】
以上のように構成された開閉カバーの取り付け構造によれば、筐体３１の表側からは捩じりバネが開閉カバー１１とその延設部１１ｂで隠れて見えないので、外観上好ましい形態となる。
また、開閉カバー１１を開けたときは、延設部１１ｂには切欠き１１ｃが設けられているので、開閉カバー１１と捩じりバネ５１の他端とが干渉しない。従って、開閉カバー１１を１８０度まで全開することができるので、開閉カバーの軸近傍が破損することが防止される。
【００２７】
なお、開閉カバーに設ける延設部は、捩じりバネによる付勢力を付与できるものであれば、短い延設部でもよい。また、バネの延長部を前記延設部と干渉しない位置で曲げて筐体に止めると、延設部には切欠きが不要となる。
また、止め輪としては、シャフトに設けられた溝に嵌まり込んでシャフトに沿って移動しない構造であれば、前記Ｅ型止め輪の代わりに、Ｕ型止め輪、Ｃ型止め輪など、種々の形状の止め輪を使用することが可能である。
【産業上の利用可能性】
【００２８】
本発明は、電子機器の筐体に限らず、種々の開閉カバーの取り付け構造に使用することができる。
【符号の説明】
【００２９】
１，１１  開閉カバー
１ａ，１１ａ  蓋部分
１ｂ，１１ｂ  延設部
１ｃ，１１ｃ  切欠き
１１ｄ  軸受け
１１ｅ，１１ｆ  ２つの軸受け
１１ｅ  一方の軸受け
２，２１  シャフト
３，３１  筐体
４，４１  シャフト受け
５，５１  付勢手段
５ａ，５１ａ  バネの一端
５ｂ，５１ｂ  バネの他端
５１ｃ  止め輪、Ｅリング
【図１】
0005817587.tif 000002
【図２】
0005817587.tif 000003
【図３】
0005817587.tif 000004
【図４】
0005817587.tif 000005
【図５】
0005817587.tif 000006
【図６】
0005817587.tif 000007
【図７】
0005817587.tif 000008
【図８】
0005817587.tif 000009
【図９】
0005817587.tif 000010
【図１０】
0005817587.tif 000011